(57)【要約】      （修正有）【課題】おみくじを開封後も長く保存可能な、宗教に由来する小型でかわいらしいご神体を添付した、ご神体入りおみくじを提供する。【解決手段】おみくじ本体である運勢などを印刷した紙及びご神体と、これらを収納した袋とからなることを特徴とするご神体入りおみくじであり、ご神体として、稲荷を示すキツネ、神話に由来するご神体であることを特徴とするご神体入りおみくじである。また、袋の表面に神社名、おみくじであることを示す印刷がなされており、おみくじ本体である運勢などを印刷した紙は大吉、吉などの運勢が記載され、折りたたまれていることを特徴とするご神体入りおみくじである。【選択図】図４
0003111936.tif 000002
【実用新案登録請求の範囲】
【請求項１】
おみくじ本体である運勢などを印刷した紙及びご神体と、これらを収納した袋とからなることを特徴とするご神体入りおみくじ。
【請求項２】
請求項１のご神体入りおみくじにおいて、ご神体として、稲荷を示すキツネのご神体であることを特徴とするご神体入りおみくじ。
【請求項３】
請求項１のご神体入りおみくじにおいて、ご神体として、神話に由来するご神体であることを特徴とするご神体入りおみくじ。
【請求項４】
請求項１のご神体入りおみくじにおいて、袋の表面に神社名、おみくじであることを示す印刷がなされていることを特徴とするご神体入りおみくじ。
【請求項５】
請求項１のご神体入りおみくじにおいて、おみくじ本体である運勢などを印刷した紙は大吉、吉などの運勢が記載され、折りたたまれていることを特徴とするご神体入りおみくじ。
【請求項６】
請求項１〜３において、ご神体として、有機高分子化合物、金属乃至セラミックスから選ばれた材料により製作されていることを特徴とするご神体入りおみくじ
【考案の詳細な説明】
【技術分野】
【０００１】
本考案は、ご神体入りおみくじに関するものであり、更に詳しくは、運勢などを印刷した紙からなるおみくじ本体と、宗教に基づくかわいらしい小型のご神体を収納した袋からなるご神体入りおみくじに関する。
【背景技術】
【０００２】
おみくじは、新年などに、神社などにおいて販売され、広く国民に親しまれている。すなわちおみくじは、将来の運勢（本年の運勢）として、大吉、吉などと印刷され、折りたたまれて販売されている、信徒である顧客は、購入後おみくじを開き、今後の運勢を占ったのち、神社にある柱、樹木などに結びつけることが広く行われている。
しかしながら、
おみくじと同時に小型でかわいらしいご神体を購入し、お守りの如く、長く手元におきたいという顧客もあり、このような顧客に対しては、紙からできたおみくじのみでは、保存に不適切である。
【０００３】
そこで、本考案者は、宗教に由来する小型でかわいらしいご神体と、従来からの、運勢を印刷した紙からできたおみくじを袋の中に収納したご神体入りおみくじに着目した。
従来、おみくじと、物品を組み合わせた例として、ボトル容器のラベルを両開き可能とし、該両開き部分に、おみくじなどにみられる縁起射幸情報をかき込む例がある。購入者は、ラベルの両開き部分を開くと、大吉、吉などの情報をみることができるのである（特許文献１）。また縫いぐるみに、おみくじを付けた例もある（特許文献２）しかし、これらの例は、おみくじが本来主であるべきところ、おみくじが副次的となっており、おみくじ本来の趣旨が失われている。
【０００４】
【特許文献１】実用新案登録第３０９４３４３号公報
【特許文献２】実開平５−３３７８０号公報
【考案の開示】
【考案が解決しようとする課題】
【０００５】
本考案は、おみくじを開封後も長く保存可能な、宗教に由来する小型でかわいらしいご神体を添付した、ご神体入りおみくじを開発することである。
【課題を解決するための手段】
【０００６】
本考案は、
（１）おみくじ本体である運勢などを印刷した紙及びご神体と、これらを収納した袋とからなることを特徴とするご神体入りおみくじ、
（２）  （１）のご神体入りおみくじにおいて、ご神体として、稲荷を示すキツネのご神体であることを特徴とする、
（３）  （１）のご神体入りおみくじにおいて、ご神体として、神話に由来するご神体であることを特徴とする、
（４）  （１）のご神体入りおみくじにおいて、袋の表面に神社名、おみくじであることを示す印刷がなされていることを特徴とする、
（５）  （１）のご神体入りおみくじにおいて、おみくじ本体である運勢などを印刷した紙は大吉、吉などの運勢が記載され、折りたたまれていることを特徴とする、
（６）  （１）〜（３）において、ご神体として、有機高分子化合物、金属乃至セラミックスから選ばれた材料により製作されていることを特徴とする。
【０００７】
本考案で用いるおみくじ本体である運勢などを印刷した紙とは、大吉、吉など運勢の記載と、願望、争いごと、転居、恋愛、商売などの運勢を占う記載がなされ、好ましくは、折りたたまれている。そして、折りたたまれた紙の表紙の部分には、おみくじである旨の印刷がなされている。
【０００８】
本考案で用いるご神体としては、小型でかわいらしい外観であり、具体的には、稲荷に関連するキツネ、神話の世界に登場する大黒様、恵比寿様、カラスなどをあげることができる。そして、ご神体の大きさとしては、好ましくは、５ミリメートルから２５ミリメートルの大きさであり、厚さとしては、１ミリメートルから５ミリメートル程度の大きさが適切である。財布や定期券入れなどに収納するのに適切であるからである。
【０００９】
本考案で用いるご神体としては、常温で酸化しがたい、材料であることが好ましく、金属、高分子化合物、セラミックスをあげることができる。金属としては、真ちゅう、ステンレススチール、スズなどをあげることができる。高分子化合物としては、ポリエチレン、ポリプロピレン、ポリエステル、ポリアミドなどをあげることができる。セラミックスとしては、陶磁器などに使用される従来公知のセラミックスをあげることができる。
【００１０】
本考案で用いるご神体や、紙を収納するために使用される袋は、好ましくは紙袋が使用される。その大きさは、３．０センチメートルから６．０センチメートル程度である。そして、その表面には、神社の名前、おみくじである旨の記載などが印刷されている。袋には、のりで封をするためののりしろを設けることもできる。
【００１１】
本考案のご神体入りおみくじは、袋の中に、ご神体、及び運勢を記載した紙を入れ、封をせず、又は封をした状態で販売する。購入後、袋の中の運勢を記載した紙の内容をみた後、この紙を神社にある柱、樹木などに結びつけ、袋とご神体は、財布、定期入れなどに入れ、ご神体として用いられる。
【考案を実施するための最良の形態】
【００１２】
以下に、本考案の具体的な構成について、図面を参照しながら説明する。
図１は、おみくじ本体である運勢などを印刷した紙の折りたたまれた状態における正面図である。図２は、おみくじ本体である運勢などを印刷した紙の展開図である。おみくじである旨の印刷と、大吉など運勢の状態についての記載の印刷がなされている。小さな袋に収納するため、図１に示した如くに、紙は折りたたまれる。
【００１３】
図３は、ご神体の一例の正面図である。ここでは、稲荷に由来するキツネのご神体が用いられた。その寸法は高さ１．８センチメートル程度、厚さ４ミリメートル程度である。
【００１４】
図４は、ご神体及びおみくじ本体である運勢などを印刷した紙を収納するための袋の正面図であり、図５は、裏面図である。袋の表紙には、神社名、おみくじである旨の印刷がなされている。袋には、封をするためののりしろが設けられているが、使用に際して、のりしろを用いて封をしてもよいし、しなくてもよい。なお、ご神体及びおみくじ本体である運勢などを印刷した紙を収納したご神体入りおみくじの外観は、図４、図５の外観と同一となる。
【００１５】
以上の説明で明らかにした様に、本考案によるお守によれば以下に列記したような実用上の優れた効果が得られる。
（ａ）従来のおみくじは、神社における瞬間的な運勢の占いであるが、宗教に由来するご神体を併用することにより、長く運勢を思い出すことができる。
（ｂ）おみくじ本来の機能は保たれるため、おみくじとしての品位を保つことが可能である。
（ｃ）ご神体は、小型であるため、財布、鞄、ポケットに容易に収納することができる。
【図面の簡単な説明】
【００１６】
【図１】おみくじ本体である運勢などを印刷した紙の折りたたまれた状態における正面図である。
【図２】おみくじ本体である運勢などを印刷した紙の展開図である
【図３】ご神体の一例の正面図である。
【図４】袋の正面図である。
【図５】袋の裏面図である。
【符号の説明】
【００１７】
１      袋本体
２      とじしろ
【図１】
0003111936.tif 000003
【図２】
0003111936.tif 000004
【図３】
0003111936.tif 000005
【図４】
0003111936.tif 000006
【図５】
0003111936.tif 000007